(57)【要約】      （修正有）【課題】内部の清浄度を犠牲にすることなく、収容する装置のレイアウト変更に容易に対応可能なクリーンブースを提供する。【解決手段】本発明のクリーンブース１０は、天壁１１と、側壁１２１，１２２と、底壁１３と、出入口１５１、１５２をエアシールドすべく下向きに空気を吹き出す吹出口とを備え、底壁１３は、中空の扁平箱状をなすとともに、出入口１５１，１５２の下縁となる端縁に沿って、吸気口１３２を有する。【選択図】図１
2019219119.tif 000002
【特許請求の範囲】
【請求項１】
天壁と、
前記天壁に連結されるとともに前記天壁を支持する支持部材と、
前記支持部材に連結されるとともに前記支持部材を支持する底壁と、
側方に開口するドアの無い出入口と
を備え、
前記天壁は、中空の箱状をなすとともに、前記出入口の上縁となる端縁に沿って、前記出入口をエアシールドすべく下向きに空気を吹き出す吹出口を有し、
前記底壁は、中空の箱状をなすとともに、前記出入口の下縁となる端縁に沿って、吸気口を備えるクリーンブース。
【請求項２】
請求項１に記載のクリーンブースと、
前記出入口に着脱自在に設けられるエアシャワーブースと
を備え、
前記エアシャワーブースは、上壁と、前記上壁に連結されるとともに前記上壁を支持する支持壁と、前記支持壁に連結されるとともに前記支持壁を支持する床壁と、前記出入口に連通する内部連絡口と、当該エアシャワーブースに出入りするための外部連絡口とを有し、
前記内部連絡口、及び前記外部連絡口がドアの無い開口からなり、
前記支持壁は、内面にジェットエアーを吹き出す吹出ノズルが設けられ、  
前記床壁は、当該エアシャワーブース内のエアーを吸引する吸引口が設けられているクリーンブースセット。
【発明の詳細な説明】
【技術分野】
【０００１】
この発明は、工場や実験室等の内部に設置して局所的に清浄な空気環境を得るためのクリーンブースに関し、特に、出入口をエアシャワーによりシールドするドアレスタイプのクリーンブースに関する。
【背景技術】
【０００２】
近年、清浄な空気環境を要する製造工場や実験室等では、装置の大型化に伴い、容積の増大したクリーンルームの清浄度維持にかかるコストを抑制するため、クリーンルーム全体の空気清浄度を必要最小限に抑える一方で、高清浄度が要求される空間のみをシールドするために、ビニールシート等の仕切壁を備えたクリーンブースが広く用いられている（例えば、特許文献１参照）。
【０００３】
ところが、特許文献１のクリーンブースのように、仕切壁により空間を仕切るようにしたものでは、装置の搬入・搬出や、作業員の出入りが干渉されるという問題がある。
【０００４】
そこで、特許文献２では、天井部の周縁から垂下する短いカーテンに沿ってエアカーテンを吹き出すよう構成したクリーンブースが提案されている。特許文献２のクリーンブースでは、エアカーテンにより、周囲をシールドすることで、装置の搬入・搬出等を容易にするとともに、床面に吸気口を設けないことで、クリーンブースを自由に移動できるようにしたものである。
【先行技術文献】
【特許文献】
【０００５】
【特許文献１】特開２０１６−１９６９８５号公報
【特許文献２】特開２０１６−０２９３２４号公報
【発明の概要】
【発明が解決しようとする課題】
【０００６】
しかし、特許文献２のクリーンブースでは、床面に衝突したのち外方へ広がるエアカーテンが、クリーンブースの出入口近傍に塵埃を堆積させ、作業員が入室する際に、この堆積した塵埃を靴裏に付着させる等して持ちこんでしまうという問題がある。
本発明は、上記課題に鑑みてなされたものであり、内部の清浄度を犠牲にすることなく、収容する装置のレイアウト変更に容易に対応可能なクリーンブースを提供することを目的とする。
【課題を解決するための手段】
【０００７】
上記課題を解決するためになされた発明は、天壁と、前記天壁に連結されるとともに前記天壁を支持する支持部材と、前記支持部材に連結されるとともに前記支持部材を支持する底壁と、側方に開口するドアの無い出入口とを備え、前記天壁は、中空の箱状をなすとともに、前記出入口の上縁となる端縁に沿って、前記出入口をエアシールドすべく下向きに空気を吹き出す吹出口を有し、前記底壁は、中空の箱状をなすとともに、前記出入口の下縁となる端縁に沿って、吸気口を備えるクリーンブースである。
ここで「支持部材」とは、天壁を支持する柱や側壁をいうものとする。
【０００８】
このように、本発明のクリーンブースでは、吹出口から下向きに吹出した空気を吸引する吸気口が、出入口の下縁に沿って設けられていることから、出入りする作業員が吸気口を跨ぐこととなり、作業員が出入りする際に作業員から発生した塵埃を、効率よく吸気口から吸引することができる。
また、本発明のクリーンブースでは、底壁が、支持部材、及び天壁に連結されているので、クリーンブースの移動時には、底壁と共に吸気口も移動するため、塵埃の捕集能力を犠牲にすることなく自由にクリーンブースを移動することができる。
【０００９】
本発明は、上記のクリーンブースと、前記出入口に着脱自在に設けられるエアシャワーブースとを備え、前記エアシャワーブースは、上壁と、前記上壁に連結されるとともに前記上壁を支持する支持壁と、前記支持壁に連結されるとともに前記支持壁を支持する床壁と、前記出入口に連通する内部連絡口と、当該エアシャワーブースに出入りするための外部連絡口とを有し、前記内部連絡口、及び前記外部連絡口がドアの無い開口からなり、前記支持壁は、内面にジェットエアーを吹き出す吹出ノズルが設けられ、前記床壁は、当該エアシャワーブース内のエアーを吸引する吸引口が設けられているクリーンブースセットを含む。
このように、クリーンブースの出入口にエアシャワーブースが着脱自在に設けられていることにより、要求されるクリーンブース内部の清浄度に合わせて、適宜にエアシャワーブースを付設することができる。
また、エアシャワーブースは、内部連絡口と外部連絡口が共にドアが無いため、クリーンブースに対する作業者の出入りや装置の搬出入が容易である。
さらに、床壁が上壁、及び横壁に連結するとともに、床壁に吸引口が設けられているため、クリーンブースと共に自由に移動を行うことができる。
【発明の効果】
【００１０】
以上説明したように、本発明のクリーンブースによれば、内部の清浄度を犠牲にすることなく、収容する装置のレイアウト変更に容易に対応することができる。
【図面の簡単な説明】
【００１１】
【図１】本発明の第１実施形態に係るクリーンブースセットの使用状況を示した斜視図である。
【図２】図１に示したクリーンブースセットの正面図である。
【図３】図１に示したクリーンブースセットの背面図である。
【図４】図１に示したクリーンブースセットの左側面図である。
【図５】図１に示したクリーンブースセットの右側面図である。
【図６】図１に示したクリーンブースセットの平面図であり、底面図は、平面図と対称に表れる。
【図７】図２におけるＡ−Ａ線断面図である。
【図８】図１に示したクリーンブースの正面図である。
【図９】図１に示したクリーンブースの右側面図である。
【図１０】図９のＢ−Ｂ線断面図である。
【図１１】図１に示したエアシャワーブースの部分断面正面図である。
【図１２】図１１におけるＣ―Ｃ線断面図である。
【図１３】図１１におけるＤ−Ｄ線断面図である。
【図１４】図１のエアシャワーブースの床壁上面と側壁内部とを透視して示した平面図である。
【発明を実施するための形態】
【００１２】
以下、適宜図面を用いながら本発明の実施形態について詳述する。ただし、本発明は、以下の実施形態に限られるものではない。
図１は、本発明の第１実施形態に係るクリーンブースセット１００を示している。クリーンブースセット１００は、クリーンブース１０と、２つのエアシャワーブース２０，２０とを備えている。
【００１３】
クリーンブース１０は、図８に示すように、天壁１１と、天壁１１を支持する支持部材１２（側壁１２１，１２２、及び柱１２３）と、支持部材１２を支持する底壁１３と、側方に設けた２箇所の出入口１５（１５１，１５２（図９参照））とを備えている。支持部材１２は、天壁１１、及び底壁１３に連結固定されている。
【００１４】
天壁１１は、図１に示すように、中空の箱型をなし、内部に室内給気ファン３１（図４参照）と、ＨＥＰＡフィルタ３２と、２台のエアカーテンファン３３，３３が設けられている。
【００１５】
クリーンブース１０は、図８に示すように正面視左側が側壁１２１で閉塞され、後方が側壁１２２で閉塞されている。天壁１１の右手前の角は、図７に示すように、柱１２３により支持されている。クリーンブース１０の前方には、図８に示すように、側壁１２１から柱１２３の間を全幅に渡って開放するドアの無い出入口１５１が設けられ、クリーンブース１０の右方には、図９に示すように、柱１２３と側壁１２２の間を全幅に渡り開放するドアの無い出入口１５２が設けられている。
【００１６】
側壁１２１、側壁１２２は、中空の箱型に設けられ、底壁１３から天壁１１への還気を通すレターンダクトを構成する。側壁１２２は、図１０に示すように、下端に沿って、多数のスリットからなる吸気口１２２ａを備え、室内１６の空気を内部空間へ吸引するよう構成されている。
また、側壁１２２は、上端の下向き傾斜部１２２ｂに、ＬＥＤライト３６が設けられている。
【００１７】
出入口、１５１、１５２の上縁には、図８、図９に示すように、暖簾状の噴出カーテン３４が設けられている。噴出カーテン３４は、図１０に示すように、エアカーテンファン３３から天壁１１の下面１１１を貫通して垂下している。噴出カーテン３４は、２枚の小カーテン３４ａ，３４ａを前後に重ね、その間を吹出口３５としてエアカーテン用の空気を噴出するよう構成されている。また、噴出カーテン３４は、表裏とも出入口１５の上縁に沿って複数枚の小カーテン３４ａを並べることで人が入るときに捲り易いように構成されている。エアカーテンファン３３へは、図１０に示すように、ＨＥＰＡフィルタ３２で除塵された空気が供給される。
【００１８】
底壁１３は、図７に示すように平面視矩形をなす中空の扁平箱状をなしている。底壁１３の表面１３１には、出入口１５１，１５２の下縁をなす、手前側（図７の下側）、及び右側（図７の右側）の端縁に沿って、多数のスリット状の貫通孔からなる吸気口１３２，１３２が設けられている。噴出カーテン３４から噴出された空気が、吸気口１３２，１３２へ吸引されて、出入口１５にエアカーテンが形成される。
また、吸気口１３２，１３２からは、室内給気ファン３１から室内１６に給気された空気が吸引されて、室内１６に下降気流を形成する。吸気口１３２，１３２から吸引された空気は、底壁１３の内部空間から側壁１２１，１２２の内部空間を介して天壁１１の内部空間へ還流される。
【００１９】
エアシャワーブース２０は、図１１に示すように、上壁２１と、上壁２１を支持する左右一対の支持壁２２，２３と、支持壁２２，２３を支持する床壁２４からなる矩形の短いトンネル形状を有し、支持壁２２，２３は、内面２２３，２３３にジェットエアーを吹き出す吹出ノズル４４が設けられている。支持壁２２，２３は、上壁２１、及び床壁２４に対し連結固定されている。エアシャワーブース２０は、奥側（図１１の紙面奥側）にクリーンブース１０の出入口１５に連通する内部連絡口２５を有し、手前側に当該エアシャワーブース２０に出入りするための外部連絡口２６を有している。内部連絡口２５、及び外部連絡口２６は扉を有さず、常時開放されている。
【００２０】
上壁２１は、平面視長方形の中空箱型をなしており、図１１に示すように、内部空間がＨＥＰＡフィルタ４１を介して連通する上室２１１と下室２１２に区画されている。上壁２１の下面２１３には、ＬＥＤライト４２が設けられている。
【００２１】
右側の支持壁２２は、直方体の箱状をなし、図１２に示すように、内面２２３に円形の吹出ノズル４個が分散配置されている。支持壁２２は。図１１に示すように、内部空間が内側の給気室２２１と外側の還気室２２２とに区画されており、還気室２２２は、床壁２４の内部空間、及び上壁２１の上室２１１に連通し、給気室２２１は、上壁２１の下室２１２に連通している。還気室２２２の下部には、ジェットファン４３が設けられている。
【００２２】
左側の支持壁２３は、図１３に示すように、直方体の箱状をなし、内面２３３に右側の支持壁２３と対称に４個の吹出ノズル４４が分散配置されている。左側の支持壁２３は、内部空間が内側の給気室２３１と外側の背室２３２に区画されている。給気室２３１は、上壁２１の下室２１２に連通しており、背室２３２は、デッドスペースである。
尚、図１２、図１３における符号４５ａ、４５ｂは、エアシャワーブース２０に人が入ったことを感知する光電センサーの投受光器と反射板である。
【００２３】
床壁２４は、図１４に示すように、平面視長方形の扁平箱型をなし、上面２４１の左右の両端縁に沿って、多数のスリット状の貫通孔からなる吸気口２４２，２４２を備えている。
【００２４】
クリーンブースセット１００を用いる際には、クリーンブース１０を工場や実験室内の適宜の場所に設置し、出入口１５１，１５２から収容すべき装置（図示の例では、安全キャビネット）Ｘを搬入する。次に、図１に示すように、クリーンブース１０の出入口１５１，１５２に、それぞれエアシャワーブース２０を連結する。ただし、装置Ｘの搬入は、エアシャワーブース２０の連結後に行ってもよい。
【００２５】
クリーンブースセット１００、及び装置Ｘを使用する際には、予め、クリーンブース１０、及びエアシャワーブース２０に電源を入れて起動しておく。すると、クリーンブース１０では、図４に示すように、室内給気ファン３１が、底壁１３の吸気口１３２，１３２、側壁１２２の吸気口１２２ａ、及び側壁１２１の吸込み金網１２１ａから取り込んだ空気をＨＥＰＡフィルタ３２で除塵したのち室内１６、及びエアカーテンファン３３へ供給し、エアカーテンファン３３は、この空気を噴出カーテン３４から噴出する。室内給気ファン３１、エアカーテンファン３３から供給された空気は、吸気口１３２，１３２から底壁１３、及び側壁１２１，１２２の内部空間を介して天壁１１の内部空間に還気される。クリーンブース１０が起動されている間、この空気循環が維持される。
尚、吸込み金網１２１ａは、室内１６を陽圧にするために、外部からの空気を補充するための吸気口である。
【００２６】
この状態で、作業者Ｍは、図１に２点鎖線で示したように、まず、外部連絡口２６からエアシャワーブース２０内に入る。すると、光電素子４５が作業者Ｍを感知して、ジェットファン４３を起動する。ジェットファン４３は、図１１に示すように、吸気口２４２，２４２から吸引した空気を床壁２４の内部空間を介して支持壁２２の還気室２２２から上壁２１の上室２１１へ流送する。上室２１１に流送された空気は、ＨＥＰＡフィルタ４１、下室２１２を介して左右の支持壁２２，２３の給気室２２１，２３１へ供給され、吹出ノズル４４からエアシャワーブース２０内へ吹き出される。
【００２７】
作業者Ｍは、吹き出されたエアシャワーを浴びて塵埃を除去した後、エアシャワーブース２０の内部連絡口２５、及び出入口１５１、又は１５２を介してクリーンブース１０の室内１６へ移動する。この際、出入口１５１，１５２は、噴出カーテン３４から噴出されたエアカーテンによりシールドされているため、エアシャワーブース２０からクリーンブース１０への塵埃の侵入を抑制することができる。
【００２８】
作業者Ｍは、エアシャワーブース２０からクリーンブース１０へ移動する際、吸気口１３２を跨ぐことになるため、作業者Ｍによるクリーンブース１０の室内１６への塵埃の持ち込みが効果的に抑制される。
【００２９】
以上、本発明のクリーンブースは、上記の実施例に限らず、例えば、出入口の数は、１つでも３つ以上でもよい。出入口の吹出口は、噴出カーテンを備えなくともよい。クリーンブースセットは、クリーンブースを複数設けてもよいし、エアシャワーブースを、１つのみ、又は３つ以上設けてもよい。
【符号の説明】
【００３０】
１００  クリーンブースセット
１０  クリーンブース
１１  天壁
１２１、１２２  側壁（支持部材）
１３  底壁
１３２  吸気口
１４  柱（支持部材）
１５１，１５２  出入口
２０  エアシャワーブース
２１  上壁
２２，２３  支持壁
２４  床壁
２４２  吸引口
２５  内部連絡口
２６  外部連絡口
３５  吹出口
４４  吹出ノズル
【図１】
2019219119.tif 000003
【図２】
2019219119.tif 000004
【図３】
2019219119.tif 000005
【図４】
2019219119.tif 000006
【図５】
2019219119.tif 000007
【図６】
2019219119.tif 000008
【図７】
2019219119.tif 000009
【図８】
2019219119.tif 000010
【図９】
2019219119.tif 000011
【図１０】
2019219119.tif 000012
【図１１】
2019219119.tif 000013
【図１２】
2019219119.tif 000014
【図１３】
2019219119.tif 000015
【図１４】
2019219119.tif 000016
【手続補正書】
【提出日】平成30年6月28日(2018.6.28)
【手続補正１】
【補正対象書類名】特許請求の範囲
【補正対象項目名】全文
【補正方法】変更
【補正の内容】
【特許請求の範囲】
【請求項１】
天壁と、
前記天壁に連結されるとともに前記天壁を支持する支持部材と、
前記支持部材に連結されるとともに前記支持部材を支持する底壁と、
側方に開口するドアの無い出入口と
を備え、
前記天壁は、中空の箱状をなすとともに、前記出入口の上縁となる端縁に沿って、前記出入口をエアシールドすべく下向きに空気を吹き出す吹出口を有し、
前記底壁は、中空の箱状をなすとともに、前記出入口の下縁となる端縁に沿って、吸気口を備えるクリーンブース。
【請求項２】
請求項１に記載のクリーンブースと、
前記出入口に着脱自在に設けられるエアシャワーブースと
を備え、
前記エアシャワーブースは、上壁と、前記上壁に連結されるとともに前記上壁を支持する支持壁と、前記支持壁に連結されるとともに前記支持壁を支持する床壁と、前記出入口に連通する内部連絡口と、当該エアシャワーブースに出入りするための外部連絡口とを有し、
前記内部連絡口、及び前記外部連絡口がドアの無い開口からなり、
前記支持壁は、内面にジェットエアーを吹き出す吹出ノズルが設けられ、
前記床壁は、当該エアシャワーブース内のエアーを吸引する吸引口が設けられているクリーンブースセット。
【請求項３】
上壁と、
前記上壁に連結されるとともに前記上壁を支持する支持壁と、
前記支持壁に連結されるとともに前記支持壁を支持する床壁と、
ドアの無い開口からなる内部連絡口、及び外部連絡口と
を備え、
前記支持壁は、内面にジェットエアーを吹き出す吹出ノズルが設けられ、
前記床壁は、当該エアシャワーブース内のエアーを吸引する吸引口が設けられているエアシャワーブース。
【手続補正３】
【補正対象書類名】明細書
【補正対象項目名】０００９
【補正方法】変更
【補正の内容】
【０００９】
本発明は、上記のクリーンブースと、前記出入口に着脱自在に設けられるエアシャワーブースとを備え、前記エアシャワーブースは、上壁と、前記上壁に連結されるとともに前記上壁を支持する支持壁と、前記支持壁に連結されるとともに前記支持壁を支持する床壁と、前記出入口に連通する内部連絡口と、当該エアシャワーブースに出入りするための外部連絡口とを有し、前記内部連絡口、及び前記外部連絡口がドアの無い開口からなり、前記支持壁は、内面にジェットエアーを吹き出す吹出ノズルが設けられ、前記床壁は、当該エアシャワーブース内のエアーを吸引する吸引口が設けられているクリーンブースセットを含む。
このように、クリーンブースの出入口にエアシャワーブースが着脱自在に設けられていることにより、要求されるクリーンブース内部の清浄度に合わせて、適宜にエアシャワーブースを付設することができる。
また、エアシャワーブースは、内部連絡口と外部連絡口が共にドアが無いため、クリーンブースに対する作業者の出入りや装置の搬出入が容易である。
さらに、床壁が上壁、及び横壁に連結するとともに、床壁に吸引口が設けられているため、クリーンブースと共に自由に移動を行うことができる。
また、本発明は、上壁と、前記上壁に連結されるとともに前記上壁を支持する支持壁と、前記支持壁に連結されるとともに前記支持壁を支持する床壁と、ドアの無い開口からなる内部連絡口、及び外部連絡口とを備え、前記支持壁は、内面にジェットエアーを吹き出す吹出ノズルが設けられ、前記床壁は、当該エアシャワーブース内のエアーを吸引する吸引口が設けられているエアシャワーブースを含む。
【手続補正書】
【提出日】令和1年9月6日(2019.9.6)
【手続補正１】
【補正対象書類名】特許請求の範囲
【補正対象項目名】全文
【補正方法】変更
【補正の内容】
【特許請求の範囲】
【請求項１】
室内に設置するクリーンブースであって、
天壁と、
前記天壁に連結されるとともに前記天壁を支持する支持部材と、
前記支持部材に連結されるとともに前記支持部材を支持する底壁と、
側方に開口するドアの無い出入口と
を備え、
前記天壁は、中空の箱状をなすとともに、前記出入口の上縁となる端縁に沿って、前記
出入口をエアシールドすべく下向きに空気を吹き出す吹出口を有し、
前記底壁は、中空の箱状をなすとともに、前記出入口の下縁となる端縁に沿って、吸気
口を備え、
一体的に室内を移動可能なことを特徴とするクリーンブース。
【請求項２】
室内に設置するクリーンブースセットであって、
請求項１に記載のクリーンブースと、
前記出入口に着脱自在に設けられるエアシャワーブースと
を備え、
前記エアシャワーブースは、上壁と、前記上壁に連結されるとともに前記上壁を支持す
る支持壁と、前記支持壁に連結されるとともに前記支持壁を支持する床壁と、前記出入口
に連通する内部連絡口と、当該エアシャワーブースに出入りするための外部連絡口とを有
し、
前記内部連絡口、及び前記外部連絡口がドアの無い開口からなり、
前記支持壁は、内面にジェットエアーを吹き出す吹出ノズルが設けられ、
前記床壁は、当該エアシャワーブース内のエアーを吸引する吸引口が設けられ、
前記エアシャワーブースは、前記クリーンブースと共に移動可能に構成されているクリーンブースセット。
【請求項３】
室内に設置するエアシャワーブースであって、
上壁と、
前記上壁に連結されるとともに前記上壁を支持する支持壁と、
前記支持壁に連結されるとともに前記支持壁を支持する床壁と、
ドアの無い開口からなる内部連絡口、及び外部連絡口と
を備え、
前記支持壁は、内面にジェットエアーを吹き出す吹出ノズルが設けられ、
前記床壁は、当該エアシャワーブース内のエアーを吸引する吸引口が設けられ、
一体的に室内を移動可能なことを特徴とするエアシャワーブース。
【請求項４】
天壁と、
前記天壁に連結されるとともに前記天壁を支持する支持部材と、
前記支持部材に連結されるとともに前記支持部材を支持する底壁と、
側方に開口するドアの無い出入口と
を備え、
前記天壁は、中空の箱状をなすとともに、前記出入口の上縁となる端縁に沿って、前記
出入口をエアシールドすべく下向きに空気を吹き出す吹出口を有し、
前記底壁は、中空の箱状をなすとともに、前記出入口の下縁となる端縁に沿って、吸気
口を備え、
前記出入口は、上縁に沿って設けられる暖簾状の噴出カーテンを有し、
前記噴出カーテンは、前後２枚の小カーテンの間を吹出口として空気を噴出するクリーンブース。
【請求項５】
前記噴出カーテンは、前記出入口の上縁に沿って前後２枚に重ねた小カーテンを複数組並べてなる請求項4に記載のクリーンブース。
【手続補正２】
【補正対象書類名】明細書
【補正対象項目名】０００７
【補正方法】変更
【補正の内容】
【０００７】
上記課題を解決するためになされた発明は、室内に設置するクリーンブースであって、
天壁と、前記天壁に連結されるとともに前記天壁を支持する支持部材と、前記支持部材に連結されるとともに前記支持部材を支持する底壁と、側方に開口するドアの無い出入口とを備え、前記天壁は、中空の箱状をなすとともに、前記出入口の上縁となる端縁に沿って、前記出入口をエアシールドすべく下向きに空気を吹き出す吹出口を有し、前記底壁は、中空の箱状をなすとともに、前記出入口の下縁となる端縁に沿って、吸気口を備え、一体的に室内を移動可能なことを特徴とする。
【手続補正３】
【補正対象書類名】明細書
【補正対象項目名】０００９
【補正方法】変更
【補正の内容】
【０００９】
本発明は、  室内に設置するクリーンブースセットであって、上記のクリーンブースと、前記出入口に着脱自在に設けられるエアシャワーブースとを備え、前記エアシャワーブースは、上壁と、前記上壁に連結されるとともに前記上壁を支持する支持壁と、前記支持壁に連結されるとともに前記支持壁を支持する床壁と、前記出入口に連通する内部連絡口と、当該エアシャワーブースに出入りするための外部連絡口とを有し、前記内部連絡口、及び前記外部連絡口がドアの無い開口からなり、前記支持壁は、内面にジェットエアーを吹き出す吹出ノズルが設けられ、前記床壁は、当該エアシャワーブース内のエアーを吸引する吸引口が設けられ、前記エアシャワーブースは、前記クリーンブースと共に移動可能に構成されているクリーンブースセットを含む。
このように、クリーンブースの出入口にエアシャワーブースが着脱自在に設けられていることにより、要求されるクリーンブース内部の清浄度に合わせて、適宜にエアシャワーブースを付設することができる。
また、エアシャワーブースは、内部連絡口と外部連絡口が共にドアが無いため、クリーンブースに対する作業者の出入りや装置の搬出入が容易である。
さらに、床壁が上壁、及び横壁に連結するとともに、床壁に吸引口が設けられているため、クリーンブースと共に自由に移動を行うことができる。
また、本発明は、室内に設置するエアシャワーブースであって、上壁と、前記上壁に連結されるとともに前記上壁を支持する支持壁と、前記支持壁に連結されるとともに前記支持壁を支持する床壁と、ドアの無い開口からなる内部連絡口、及び外部連絡口とを備え、前記支持壁は、内面にジェットエアーを吹き出す吹出ノズルが設けられ、前記床壁は、当該エアシャワーブース内のエアーを吸引する吸引口が設けられ、一体的に室内を移動可能なことを特徴とするエアシャワーブースを含む。
加えて、本発明は、天壁と、前記天壁に連結されるとともに前記天壁を支持する支持部材と、前記支持部材に連結されるとともに前記支持部材を支持する底壁と、側方に開口するドアの無い出入口とを備え、前記天壁は、中空の箱状をなすとともに、前記出入口の上縁となる端縁に沿って、前記出入口をエアシールドすべく下向きに空気を吹き出す吹出口を有し、前記底壁は、中空の箱状をなすとともに、前記出入口の下縁となる端縁に沿って、吸気口を備え、前記出入口は、上縁に沿って、前後２枚に重ねた小カーテンを複数組並べてなる暖簾状の噴出カーテンを有し、前記噴出カーテンは、前後２枚の小カーテンの間を吹出口として空気を噴出するクリーンブースを含む。